(57)【要約】      （修正有）【課題】子供や老人などでも取り付け及び取り外しを簡単に行うことができ、かつ、取付後には容易に外れるおそれが無い連結具、及びそれを備えた連結体を提供することにある。【解決手段】対象物１０同士を連結する連結具１１０であって、環状部材の一部を切り欠いてなる切欠部１１５を有する本体部１１１と、本体部１１１の一対の端部１１１ａ，１１１ｂそれぞれの近傍に設けられた突起状の一対の段部１１２ａ，１１２ｂと、を備え、一の対象物１０に設けた穴部１２に一方の端部１１１ａ及び一方の段部１１２ａを挿通させると共に、他の対象物に設けた穴部に他方の端部１１１ｂ及び他方の段部１１２ｂを挿通させることで、一の対象物１０と他の対象物とを連結するように構成した。【選択図】図５
2019154873.tif 000002
【特許請求の範囲】
【請求項１】
対象物同士を連結する連結具であって、
環状部材の一部を切り欠いてなる切欠部を有する本体部と、
前記本体部の一対の端部それぞれの近傍に設けられた突起状の一対の段部と、を備え、
一の前記対象物に設けた穴部に前記一方の端部及び前記一方の段部を挿通させると共に、他の前記対象物に設けた穴部に前記他方の端部及び前記他方の段部を挿通させることで、一の前記対象物と他の前記対象物とを連結するように構成した
ことを特徴とする連結具。
【請求項２】
前記本体部の中間部には、該本体部の他の部分よりも側面の面積が広い把持部が形成されており、
該把持部の表面には、線状の凹凸からなる滑り止めが施されている
ことを特徴とする請求項１に記載の連結具。
【請求項３】
前記連結具は、ポリアセタール製の一体成型品である
ことを特徴とする請求項１又は２に記載の連結具。
【請求項４】
前記本体部は円環状の一部を切り欠いてなる部材であり、
前記切欠部の中心角は、１０度以上３０度以下の角度である
ことを特徴とする請求項１乃至３のいずれか１項に記載の連結具。
【請求項５】
前記段部における前記本体部の中間部側を向く端面が前記本体部の面に対して略直交する面になっている
ことを特徴とする請求項１乃至４のいずれか１項に記載の連結具。
【請求項６】
請求項１乃至５のいずれか１項に記載の連結具と、
前記連結具の前記端部及び前記段部が挿通される穴部を有する部材と、を備え、
前記部材は、少なくとも前記穴部及びその周囲の部分が弾性を有する材質であり、
複数の前記部材同士が前記穴部に挿通された前記連結具で連結されている
ことを特徴とする連結体。
【請求項７】
前記穴部の内径寸法は、前記連結具の本体部の外径寸法よりも大きく、かつ、前記段部の外径寸法よりも小さい
ことを特徴とする請求項６に記載の連結体。
【発明の詳細な説明】
【技術分野】
【０００１】
本発明は、ネームプレートやアクセサリーなどの対象物を連結する連結具、及びこの連結具で連結された複数の対象物を備える連結体に関する。
【背景技術】
【０００２】
従来、例えば特許文献１に示すように、ネームプレートや種々の装飾具などの装飾品や鍵や小型ライトなどの実用品（以下、「対象物」という。）が吊り下げられる吊下げ型ホルダーがある。上記のような吊下げ型ホルダーは、対象物を吊り下げるための金属製のチェーンなどの吊下具と、吊下具で吊り下げて保持される対象物と、吊下具と対象物とを連結する連結具を備える。
【０００３】
そして、従来、上記のような連結具として、弾性を有する金属製の線材を複数回（２回程度）巻き回して構成された円環状の部材が用いられている。この連結具は、巻き回した線材の端部を引っ張ることで広げて線材の中間部との間に隙間を形成し、当該端部を連結対象の商品の縁部に設けられた穴部に挿通して線材の全体を当該穴部に通過させることで、連結具を穴部に通して対象物に取り付けるようになっている。
【０００４】
しかしながら、上記のような従来の連結具では、上記の手順で対象物の穴部に連結具を挿通して連結する際に、端部を広げるために大きな力を必要とするといった問題がある。また、非常に細かい部品であるため、特に幼児や児童などの子供、あるいは老人などにとって、連結具を指で摘んで対象物の穴部に通す作業を伴う取り付けや取り外しが非常に行い難い、という問題があった。
【先行技術文献】
【特許文献】
【０００５】
【特許文献１】特開平９−２２４８０８号公報
【発明の概要】
【発明が解決しようとする課題】
【０００６】
本発明は上記の点に鑑みてなされたものであり、その目的は、子供や老人などでも取り付け及び取り外しを簡単に行うことができ、かつ、取付後には容易に外れるおそれが無い連結具、及びそれを備えた連結体を提供することにある。
【課題を解決するための手段】
【０００７】
上記課題を解決するための本発明は、対象物（１０，２０，３０）同士を連結する連結具（１１０）であって、環状部材の一部を切り欠いてなる切欠部（１１５）を有する本体部（１１１）と、前記本体部（１１１）の一対の端部（１１１ａ，１１１ｂ）それぞれの近傍に設けられた突起状の一対の段部（１１２ａ，１１２ｂ）と、を備え、一の前記対象物（１０）に設けた穴部（１２）に前記一方の端部（１１１ａ）及び前記一方の段部（１１２ａ）を挿通させると共に、他の前記対象物（２０）に設けた穴部（２１）に前記他方の端部（１１１ｂ）及び前記他方の段部（１１２ｂ）を挿通させることで、一の前記対象物（１０）と他の前記対象物（２０）とを連結するように構成したことを特徴とする。
【０００８】
本発明にかかる連結具によれば、環状の部材の一部を切り欠いてなる切欠部を有する本体部と、本体部の両端近傍に設けられた突起状の段部とを備えることで、当該連結具を対象物に形成された穴部に通して対象物を連結する際、連結具に切欠部が形成されていることで、連結具の端部を穴部に挿通させる作業が非常に行い易くなる。その一方で、本体部の両端近傍に設けられた環状の突起からなる一対の段部を備えることで、連結具の端部を挿通させた穴部がこの段部を乗り越えて該段部の奥側に係合することで、連結具の抜け止めが施された状態となる。したがって、対象物を連結した連結具が容易に（意図せずに）外れてしまうことを効果的に防止できる。これらによって、取り付け取り外しを簡単に行うことができ、かつ、取付後には容易に外れてしまうおそれが無い連結具となる。
【０００９】
また、本発明の連結具は、前記本体部（１１１）の中間部（１１１ｃ）には、該本体部（１１１）の他の部分よりも側面の面積が広い把持部（１１３）が形成されており、該把持部（１１３）の表面には線状の凹凸からなる滑り止め（１１３ａ）が施されていてよい。
【００１０】
この構成によれば、本体部の中間部に形成した把持部を有することで、この把持部を指で摘んで連結具を持つことができるので、連結具を対象物の穴部に挿通して取り付ける作業が非常に行い易くなる。また、把持部の表面には線状の凹凸からなる滑り止めが施されていることで、把持部を摘んでいる指を更に滑り難くすることができる。したがって、連結具の取り付け及び取り外しの作業が更に行い易くなる。
【００１１】
また、本発明の連結具では、前記連結具（１１０）は、ポリアセタール製の一体成型品であってよい。
【００１２】
この構成によれば、連結具をポリアセタール製の一体成型品としたことで、連結具に必要な強度や表面の硬さを確保できる。したがって、容易に破損したり損傷したりするおそれの無い連結具となり、かつ、対象物への取り付けが外れてしまうことを防止できる。
【００１３】
また、本発明の連結具では、前記本体部（１１１）は円環状の一部を切り欠いてなる部材であり、前記切欠部（１１２）の中心角(θ)は、１０度以上３０度未満の角度であってよい。
【００１４】
この構成によれば、切欠部の中心角が１０度以上３０度未満の角度であることで、本体部の両端部間の隙間として適度な間隔が確保される。したがって、対象物の穴部に挿通する作業が行い易くなると共に、取付後には容易に外れてしまうおそれを少なくできる。
【００１５】
また、本発明の連結具では、前記段部（１１２）における前記本体部（１１１）の中間部（１１１ｃ）側を向く端面を前記本体部（１１１）の面に対して略直交する面とするとよい。
【００１６】
この構成によれば、前記段部における前記本体部の中間部側を向く端面が本体部の面に対して略直交する面（垂直面）であることで、段部を乗り越えてその奥側に達した対象物の穴部が段部を逆に乗り越えて手前側へ戻ることを防止できる。これにより、連結具の抜け止め作用を更に高めることができるので、連結具による対象物との連結が外れてしまうことをより効果的に防止できる。
【００１７】
また、本発明の連結体は、前記連結具（１１０）と、前記連結具（１１０）の前記端部（１１１ａ，１１１ｂ）及び前記段部（１１２ａ，１１２ｂ）が挿通される穴部（１２,２１,２２,３１）を有する部材（１０,２０,３０）と、を備え、前記部材（１０,２０,３０）は、少なくとも前記穴部（１２,２１,２２,３１）及びその周囲の部分が弾性を有する材質であり、複数の前記部材（１０,２０,３０）同士が前記穴部（１２,２１,２２,３１）に挿通された前記連結具（１１０）で連結されているものであってよい。
【発明の効果】
【００１８】
本発明にかかる連結具及びそれを備えた連結体によれば、簡単な作業のみで取り付け及び取り外しを行うことができ、かつ取付後には容易に外れるおそれが無い。
【図面の簡単な説明】
【００１９】
【図１】本発明の第一実施形態に係る連結具を備えた吊下げ型ホルダー（連結体）を示す正面図である。
【図２】吊下げ型ホルダーの側断面図である。
【図３】吊下げ型ホルダーの分解斜視図である。
【図４】装飾パーツの詳細構成を示す図で、（ａ）は、正面図、（ｂ）は、背面図、（ｃ）は、側面図である。
【図５】連結具の詳細構成を示す図である。
【図６】連結具の他の構成を示す図である。
【図７】本発明の第二実施形態に係るチェーンリング（連結体）を示す図である。
【図８】図７のＢ部分の拡大図である。
【発明を実施するための形態】
【００２０】
以下、添付図面を参照して本発明の実施形態を詳細に説明する。
〔第一実施形態〕
図１及び図２は、本発明の第一実施形態に係る連結具を備えた吊下げ型ホルダー（連結体）を示す図で、図１は、正面図、図２は、側面図である。また、図３は、吊下げ型ホルダーの分解斜視図である。これらの図に示す吊下げ型ホルダー１は、ベース部材（本体プレート）１０，２０，３０に一又は複数の装飾パーツ５０，６１，７１，７２，７３を取り付けてなる装飾品（対象物）を吊り下げるもので、金属製の吊下げチェーン５と、吊下げチェーン５に吊り下げられる第１ベース部材１０と、第１ベース部材１０にこの順に吊り下げて連結される第２ベース部材２０及び第３ベース部材３０と、第１ベース部材１０と第２ベース部材２０を連結する連結具１１０及び第２ベース部材と第３ベース部材を連結する連結具１１０と、第１ベース部材１０、第２ベース部材２０、第３ベース部材３０それぞれに取り付けられる複数の装飾パーツ５０，６１，７１，７２，７３とを備えて構成されている。
【００２１】
吊下げチェーン５は、従来からある公知のものであり、ステンレスなど金属製で、小さな球状部品を多数連結して紐状に形成したもので、その両端を取り外し可能な留め具６で連結して環状にしたものである。
【００２２】
第１ベース部材１０、第２ベース部材２０、第３ベース部材３０は、いずれも柔軟性を有する塩化ビニル製の成型品である。第１ベース部材１０は、上下方向の中間に形成された略円板状の部分に設けた貫通穴からなる取付穴１３と、上端部と下端部それぞれに形成された円形の貫通穴からなる穴部１１，１２とを備えている。穴部１１，１２の径寸法は、取付穴１３の径寸法よりも小さな寸法に形成されている。
【００２３】
また、第２ベース部材２０は、上下方向の中間に形成された略円板状の部分に設けた貫通穴からなる取付穴２３と、上端部と下端部それぞれに形成された円形の貫通穴からなる穴部２１，２２とを備えている。穴部２１，２２の径寸法は、取付穴２３の径寸法と同一の径又はそれよりも小さな径であるが、これらの寸法関係は特に限定されるものではない。
【００２４】
また、第３ベース部材３０は、第１ベース部材１０及び第２ベース部材２０よりも大型の平板状で、図ではコーヒーカップを模した形状の本体部３５と、本体部３５の上端辺に形成された円形の貫通穴からなる穴部３１とを備える。また、本体部３５には、複数個の貫通穴からなる取付穴３３が形成されている。また、表面には模様となる窪み３７も形成されている。なお、第１、第２、第３ベース部材１０，２０，３０の具体的な形状は一例であり、各ベース部材１０，２０，３０の形状は、装飾品のデザインに応じて適宜に変更されるものであってよい。
【００２５】
図４は、装飾パーツ６１の詳細構成を示す図で、（ａ）は、正面図、（ｂ）は、背面図、（ｃ）は、側面図である。なお、図４（ｃ）には、突起部６１ｂを挿通して取り付ける第２ベース部材２０の取付穴２３等も図示している。第２ベース部材２０に取り付ける装飾パーツ６１は、同図及び図３に示すように、犬の餌となる骨を模した本体部６１ａと、該本体部６１ａの裏面に一体に設けた突起部６１ｂとを備えている。突起部６１ｂは、装飾パーツ６１を第２ベース部材２０に取り付けるための円柱状の突起で、根元側の大径の基部６１ｂ１と、該基部６１ｂ１の上面から突出する小径の円柱状の軸部６１ｂ２と、軸部６１ｂ２の先端に設けた僅かに大径の薄板状の円板部分からなるフランジ部６１ｂ３とを備えている。一方、第２ベース部材２０における突起部６１ｂに対応する位置には、円形の貫通穴からなる取付穴２３と、取付穴２３の周囲に設けた円形の窪みからなる溝部２４とが形成されている。取付穴２３は、突起部６１ｂの軸部６１ｂ２を挿通させる部分で、溝部２４は、突起部６１ｂの基部６１ｂ１を収容する部分である。装飾パーツ６１の本体部６１ａは、柔軟性を有する塩化ビニル製の成型品である。一方、装飾パーツ６１の突起部６１ｂは、ＡＢＳ樹脂製である。突起部６１ｂは本体部６１ａの裏面に接着剤による接着などの手段で一体に接合されている。突起部６１ｂは、本体部６１ａよりも硬質である。また、取付穴２３の内径寸法は、突起部６１ｂの軸部６１ｂ２の外径寸法と略同一の寸法、かつ軸部６１ｂ２のフランジ部６１ｂ３の外径寸法よりも若干小さな寸法に形成されている。これにより、突起部６１ｂの軸部６１ｂ２を取付穴２３に差し込んで係合させる際、フランジ部６１ｂ３が取付穴２３を貫通してその奥側に嵌ることで抜け止めが施された状態となり、軸部６１ｂ２が取付穴２３に係合する。したがって、取付穴２３に対する突起部６１ｂの取り付けが容易に外れないようにすることができる。
【００２６】
また、第１ベース部材１０に取り付ける装飾パーツ５０は、図１乃至図３に示すように、犬の顔を模した形状の前パーツ５１と、犬の胴体を模した形状の後パーツ５２とを備え、第１ベース部材１０を挟んでその前後にこれら前パーツ５１と後パーツ５２を取り付けるようになっている。前パーツ５１は、本体部５１ａと、該本体部５１ａの裏面に一体に設けた突起部５１ｂとを備えている。突起部５１ｂは、後パーツ５２を取り付けるための円柱状の突起で、その詳細な構成（形状・材質等）は、装飾パーツ６１の突起部６１ｂと同じである。一方、後パーツ５２における突起部５１ｂに対応する位置には、突起部５１ｂの軸部を挿通させる円形の取付穴５３が形成されている。前パーツ５１の本体部５１ａ及び後パーツ５２は、柔軟性を有する塩化ビニル製の成型品である。一方、前パーツ５１の突起部５１ｂは、ＡＢＳ樹脂製であり、突起部５１ｂは本体部５１ａの裏面に接着剤による接着などの手段で一体に接合されている。
【００２７】
また、第３ベース部材３０に取り付ける装飾パーツはそれぞれ、図１及び図３に示すように、文字（ここでは、平仮名の「ま」、「な」の文字）の外形を有する装飾パーツ７１，７２と、図形（ここではチューリップの図形）の外形を有する装飾パーツ７３とが含まれる。また、これら装飾パーツ７１，７２，７３の本体部７１ａ，７２ａ、７３ａは、裏面に一体に設けられた突起部７１ｂ，７２ｂ，７３ｂを備えている。一方、第３ベース部材３０における各装飾パーツ７１，７２，７３を取り付ける位置には、突起部７１ｂ、７２ｂ，７３ｂを取り付ける円形の取付穴３３が形成されている。装飾パーツ７１，７２，７３の本体部７１ａ，７２ａ，７３ａは、柔軟性を有する塩化ビニル製の成型品である。突起部７１ｂ，７２ｂ，７３ｂと取付穴３３の寸法や形状及び材質は、装飾パーツ６１の突起部６１ｂ及び取付穴２３と同じである。したがって、突起部７１ｂ，７２ｂ，７３ｂを取付穴３３に差し込んで係合させることで、装飾パーツ７１，７２，７３を第３ベース部材３０に取り付けることができる。
【００２８】
次に、第１、第２、第３ベース部材１０，２０，３０を連結する連結具１１０について説明する。各連結具１１０は、いずれも同一の形状及び大きさである。図５は、連結具１１０の詳細構成を示す図である。なお、同図では、連結具１１０を取り付ける第１ベース部材１０の穴部１２も図示している。連結具１１０は、ポリアセタール（ＰＯＭ）製の一体成型品で、図５に示すように、円環状の一部を切り欠いてなる切欠部１１５を有する略Ｃ字型の本体部１１１を備えている。また、本体部１１１の両端１１１ａ，１１１ｂの近傍にはそれぞれ、環状の小突起からなる一対の段部１１２a，１１２ｂが形成されている。また、本体部１１１の中間部１１１ｃには、本体部１１１の他の部分よりも側面の面積が広い把持部１１３が形成されており、把持部１１３の表面には、線状の凹凸からなる滑り止め１１３ａが施されている。すなわち、把持部１１３は、Ｃ字型の本体部１１１の中間部１１１ｃから内側に張り出した略平板状の部分である。また、滑り止め１１３ａは、横向きに延びる直線状の複数の凹凸として形成されている。
【００２９】
一方、連結具１１０の両端部１１１ａ、１１１ｂを挿通する第１ベース部材１０の穴部１２、第２ベース部材２０の上下の穴部２１，２２、第３ベース部材３０の穴部３１の内径は、いずれも連結具１１０の（段部１１２ａを除く）本体部１１１の断面の外径寸法よりも大きく、かつ段部１１２ａの外径寸法よりも小さな寸法に形成されている。すなわち、本体部１１１の外径寸法をＤ１、段部１１２ａの外径寸法をＤ２、穴部２１，２２，３１の内径寸法をＤ３とすると、Ｄ１＜Ｄ３＜Ｄ２の関係となる。
【００３０】
次に、上記構成の吊下げ型ホルダー１の組立手順を説明する。吊下げ型ホルダー１を組み立てるには、まず、第１ベース部材１０を挟んでその前後に前パーツ５１と後パーツ５２を取り付けることで、第１ベース部材１０に装飾パーツ５０を取り付ける。これには、前パーツ５１の突起部５１ｂを第１ベース部材１０の取付穴１３に挿通し、かつ後パーツ５２の取付穴５３に差し込むことで、突起部５１ｂ（の軸部）が取付穴５３に嵌め込まれた状態で固定されるようにする。これにより、第１ベース部材１０に装飾パーツ５０が容易に外れないように取り付けられる。
【００３１】
同様に、第２ベース部材２０に装飾パーツ６１を取り付ける。これには、第２ベース部材２０の取付穴２３に装飾パーツ６１の突起部６１ｂを差し込む。この場合も、突起部６１ｂが取付穴２３に嵌め込まれた状態で固定される。これにより、第２ベース部材２０に対して装飾パーツ６１が容易に外れないように取り付けられる。
【００３２】
同様に、第３ベース部材３０に装飾パーツ７１，７２，７３を取り付ける。これには、第３ベース部材３０の取付穴３３に装飾パーツ７１，７２，７３の突起部７１ｂ，７２ｂ，７３ｂを差し込む。この場合も、突起部７１ｂ，７２ｂ，７３ｂが取付穴３３に嵌め込まれた状態で固定される。これにより、第３ベース部材３０に対して装飾パーツ７１，７２，７３が容易に外れないように取り付けられる。
【００３３】
次に、第１ベース部材１０の穴部１１に吊下げチェーン５を通して取り付ける。吊下げチェーン５は、その一端を穴部１１に通した状態で留め具６を固定することで、環状にして取り付ける。その後、第１ベース部材１０と第２ベース部材２０を第１連結具１１０で連結する。これには、第１連結具１１０の一方の端部（図５の上側の端部）１１１ａを第１ベース部材１０の下側の穴部１２に挿通すると共に、第１連結具１１０の他方の端部（図５の下側の端部）１１１ｂを第２ベース部材２０の上側の穴部２１に挿通する。この際、穴部２１が第１連結具１１０の段部１１２ｂを乗り越えてその奥側に配置されるようにする。この第１連結具１１０の取り付けは、第１連結具１１０の把持部１１３を一方の手の指で摘んで把持し、その状態で、他方の手の指で持った第１ベース部材１０の穴部１２と第２ベース部材２０の穴部２１とに第１連結具１１０の端部１１１ａ，１１１ｂそれぞれを挿通する。
【００３４】
同様に、第２ベース部材２０と第３ベース部材３０を連結具１１０で連結する。これには、連結具１１０の一方の端部（図５の上側の端部）１１１ａを第２ベース部材２０の下側の穴部２２に挿通すると共に、連結具１１０の他方の端部（図５の下側の端部）１１１ｂを第３ベース部材３０の上側の穴部３１に挿通する。この際にも、穴部２２が段部１１２ａを乗り越えてその奥側の位置に配置されるようにする。同様に、穴部３１が段部１１２ｂを乗り越えてその奥側の位置に配置されるようにする。この連結具１１０の取り付けも、連結具１１０の把持部１１３を一方の手の指で摘んで把持し、その状態で、他方の手の指で持った第２ベース部材２０の穴部２２又は第３ベース部材３０の穴部３１に連結具１１０の端部１１１ａ，１１１ｂそれぞれを挿通する。
【００３５】
これらにより、連結具１１０で一体に連結された第１、第２、第３ベース部材１０，２０，３０が吊下げチェーン５で吊下げられた状態となり、吊下げ型ホルダー（連結体）１の組み立てが完了する。
【００３６】
以上説明したように、本実施形態の吊下げ型ホルダー１に用いられる連結具１１０によれば、環状の一部を切り欠いてなる切欠部１１５を有する本体部１１１と、本体部１１１の両端部１１１ａ，１１１ｂの近傍に設けられた環状の突起からなる一対の段部１１２ａ，１１２ｂとを備えることで、当該連結具１１０をベース部材１０，２０，３０の穴部１２，２１，２２，３１に通してこれらベース部材１０，２０，３０を連結する際、連結具１１０に切欠部１１５が形成されていることで、連結具１１０の端部１１１ａ，１１１ｂを穴部１２，２１，２２，３１に挿通させる作業が非常に行い易くなる。その一方で、本体部１１１の両端部１１１ａ，１１１ｂの近傍に設けられた環状の突起からなる一対の段部１１２ａ，１１２ｂを備えることで、連結具１１０の端部１１１ａ，１１１ｂを挿通させた穴部１２，２１，２２，３１がこれら段部１１２ａ，１１２ｂを乗り越えてその奥側に係合することで、連結具１１０の抜け止めが施された状態となる。したがって、ベース部材１０，２０，３０を連結した連結具１１０が容易に（意図せずに）外れてしまうことを効果的に防止できる。これらによって、簡単な作業のみで取り付け取り外しを行うことができ、かつ、取付後には容易に外れてしまうおそれが無い連結具となる。特に、年齢の小さな幼児や児童などの子供が自分で連結具１１０の取り付け及び取り外しを簡単に行うことが可能となるので、当該連結具１１０を備えた吊下げ型ホルダー１などの連結体を子供が自分で組み立てることができるようになるという利点がある。
【００３７】
また、本実施形態の連結具１１０における本体部１１１の中間部１１１ｃには、該本体部１１１の他の部分よりも側面の面積が広い把持部１１３が形成されており、この把持部１１３の表面には線状の凹凸からなる滑り止め１１３ａが施されている。
【００３８】
この構成によれば、本体部１１１の中間部１１１ｃに形成した把持部１１３を有することで、この把持部１１３を指で摘んで連結具１１０を持つことができるので、連結具１１０をベース部材１０，２０，３０の穴部１２，２１，２２，３１に挿通して取り付ける作業が非常に行い易くなる。また、把持部１１３の表面には線状の凹凸からなる滑り止め１１３ａが施されていることで、把持部１１３を摘む指を滑り難くすることができる。したがって、連結具１１０の取り付け及び取り外しの作業が更に行い易くなる。
【００３９】
また、本実施形態の連結具１１０は、ポリアセタール（ＰＯＭ）製の一体成型品である。連結具１１０をポリアセタール製の一体成型品としたことで、連結具１１０に必要な強度や表面の硬さを確保できる。したがって、容易に破損したり損傷したりするおそれの無い連結具１１０となり、かつ、ベース部材１０，２０，３０の取り付けが外れてしまうことを効果的に防止できる。
【００４０】
また、本実施形態の連結具１１０では、本体部１１１は円環状の一部を切り欠いてなる部材であり、切欠部１１５の中心角θは、１０度以上３０度未満の範囲の角度とすることが望ましい。
【００４１】
この構成によれば、本体部１１１の両端部１１１ａ，１１１ｂ間の隙間として適度な広さの間隔を確保することができる。したがって、ベース部材１０，２０，３０の穴部１２，２１，２２，３１に挿通する作業の容易性の確保と、取り付けた連結具１１０が容易に外れることを防止する外れ止め作用の確保との両立を図ることができる。
【００４２】
図６は、他の構成の連結具１１０−２を示す図である。図５に示す連結具１１０では、段部１１２ａ，１１２ｂにおける本体部１１１の中間部１１１ｃ側を向く端面が湾曲面状であったのに対して、図６に示す連結具１１０−２では、段部１１２−２ａ，１１２−２ｂにおける本体部１１１の中間部１１１ｃ側を向く端面が本体部１１１の面に対して略直交する縦壁面（垂直面）１１４ａ，１１４ｂとなっている。すなわち、段部１１２−２ａ，１１２−２ｂの断面形状が絶壁状になっている。
【００４３】
この構成によれば、段部１１２−２ａ，１１２−２ｂにおける本体部１１１の中間部１１１ｃ側を向く端面が縦壁面（垂直面）１１４ａ，１１４ｂとなっていることで、段部１１２−２ａ，１１２−２ｂを（図６の矢印Ａ１側に）乗り越えてその奥側に達したベース部材１０，２０，３０の穴部１２，２１，２２，３１が、段部１１２−２ａ，１１２−２ｂを逆に（図６の矢印Ａ２側に）乗り越えてその手前側へ戻ることを防止できるようになる。これにより、連結具１１０−２の抜け止め作用を更に高めることができるので、連結具１１０−２によるベース部材１０，２０，３０の連結が外れてしまうことをより効果的に防止できる。
【００４４】
なお、図６に示す例では、両方の段部１１２−２ａ，１１２−２ｂに縦壁面１１４ａ，１１４ｂを設けた場合を示したが、縦壁面１１４ａ，１１４ｂは、いずれか一方のみとすることも可能である。これによれば、連結具１１０の両端部１１１ａ，１１１ｂそれぞれに連結する部材の一方を取り外し易くし、他方を取り外し難くすることで、一方の部材のみの取り付け及び取り外しができるようにすることが可能となる。
【００４５】
〔第二実施形態〕
図７は、本発明の第二実施形態にかかる連結体であるチェーンリングを示す図である。同図に示すチェーンリング２は、プラスチック製又は金属製のチェーン２７０を環状にして、その両端部２７０ａ，２７０ｂ間を留める留め部２６０を備えている。なお、チェーン２７０は、一部の図示を省略して示している。これにより、連結体として、環状の吊り下げ紐又はネックレスやブレスレッドなど環状のアクセサリーを構成することができる。なお、プラスチック製又は金属製のチェーン２７０は一例であり、これに限らず紐状の部材であれば何でも良い。
【００４６】
そして、留め部２６０は、チェーン２７０の両端部２７０ａ，２７０ｂそれぞれに連結具１１０で取り付けられる一対のベース部材２４０，２５０と、一方のベース部材２４０の取付穴２４３と他方のベース部材２５０の取付穴２５３とを固定するための固定ピン２８０とを備えている。連結具１１０は、ベース部材２４０の穴部２４１とチェーン２７０の一方の端部２７０ａとを連結する連結具１１０と、ベース部材２５０の穴部２５１とチェーン２７０の他方の端部２７０ｂとを連結する連結具１１０とを備えている。
【００４７】
連結具１１０は、第１実施形態の連結具１１０と同じものである。また、ベース部材２４０，２５０は、デザインが異なるだけで、第１実施形態のベース部材１０，２０、３０と材質や構造が共通のものである。また、ピン２８０は、第１実施形態の突起部５１ｂ，６１ｂ等と同じ材質・形状のものである。
【００４８】
本実施形態の連結体２では、チェーン２７０の両端部２７０ａ，２７０ｂに連結具１１０を介して取り付けたベース部材２４０，２５０の取り付け及び取り外しをピン２８０で行うように構成した。そして、このピン２８０によるベース部材２４０，２５０の取り付け及び取り外しは、第１実施形態の装飾パーツ５０等の取り付け及び取り外しと同様、簡単に行うことができ、かつ取り付けた状態では容易に外れるおそれがない。したがって、チェーン２７０の両端部２７０ａ，２７０ｂを留める留め部として使用することにより、チェーン２７０の両端部２７０ａ，２７０ｂの取り付け及び取り外しを子供等が容易に行えるようになる。
【００４９】
図８は、図７のＢ部分の拡大図である。同図に示すように、本実施形態の連結体２に用いる連結具１１０は、チェーン２７０の端部２７０ａに挿通させる一方の段部を縦壁部１１４ａを有する絶壁状の段部１１２−２ａとし、ベース部材２４０の穴部２４１に挿通させる他方の段部を縦壁部１１４ａを有しない断面が半円弧状の段部１１２ｂとする。これにより、連結具１１０に取り付けたチェーン２７０は容易に外れるおそれが無く（外れ難く）、連結具１１０に取り付けたベース部材２４０は容易に取り外しが可能となる。したがって、チェーン２７０に対してベース部材２４０を交換する作業を簡単に行うことができる。なお、図示は省略するが、チェーンの他方の端部２７０ｂと他のベース部材２５０との間に設けた連結具１１０も同様の構成とすることができる。
【００５０】
以上、本発明の実施形態を説明したが、本発明は、上記実施形態に限定されるものではなく、特許請求の範囲、及び明細書と図面に記載された技術的思想の範囲内において種々の変形が可能である。例えば、上記実施形態に示す各部材の材質は一例であり、部材同士に必要な硬さや軟らかさの関係が満たされるのであれば、他の材質であってもよい。
【符号の説明】
【００５１】
１ 吊下げ型ホルダー（連結体）
２ チェーンリング（連結体）
５ 吊下げチェーン
６ 留め具
１０，２０，３０ ベース部材
１１，１２，２１，２２，３１ 穴部
１３，２３，３３ 取付穴
５０，６１，７１，７２，７３ 装飾パーツ
５１ 前パーツ
５１ａ 本体部
５１ｂ 突起部
５２ 後パーツ
５３ 取付穴
６１ 装飾パーツ
６１ａ 本体部
６１ｂ 突起部
６１ｂ１ 基部
６１ｂ２ 軸部
６１ｂ３ フランジ部
７１，７２，７３ 装飾パーツ
７１ａ，７１ａ，７１ａ 本体部
７１ｂ，７２ｂ，７３ｂ 突起部
１１０ 連結具
１１１ 本体部
１１１ａ，１１１ｂ 両端部
１１１ｃ 中間部
１１５ 切欠部
１１２a，１１２ｂ 段部
１１３ 把持部
２４０，２５０ ベース部材
２４１，２５１ 穴部
２４３，２５３ 取付穴
２６０ 留め部
２７０ チェーン
２８０ 固定ピン
【図１】
2019154873.tif 000003
【図２】
2019154873.tif 000004
【図３】
2019154873.tif 000005
【図４】
2019154873.tif 000006
【図５】
2019154873.tif 000007
【図６】
2019154873.tif 000008
【図７】
2019154873.tif 000009
【図８】
2019154873.tif 000010